(57)【要約】【課題】スキャンの自由度を向上させる技術を提供する。【解決手段】光コヒーレンストモグラフィを用いて被検眼をスキャンすることにより断面像を取得する眼科撮影装置は、計測部と、撮影部と、表示制御部と、操作部と、計測制御部とを含む。計測部は、光コヒーレンストモグラフィを実行する。撮影部は、被検眼を動画撮影する。表示制御部は、撮影部により取得された動画像と、動画像におけるスキャン位置およびスキャン方向を表す２以上のスキャンラインに対応し、互いに交差する第１及び第２スキャン領域とを表示手段に表示させる。操作部は、第１及び第２スキャン領域の相対位置を変更するために用いられる。計測制御部は、相対位置が変更された後の第１及び第２スキャン領域に対応する２以上のスキャンラインに基づいて計測部に光コヒーレンストモグラフィを実行させる。【選択図】図４
2019171168.tif 000002
【特許請求の範囲】
【請求項１】
光コヒーレンストモグラフィを用いて被検眼をスキャンすることにより断面像を取得する眼科撮影装置であって、
光コヒーレンストモグラフィを実行する計測部と、
前記被検眼を動画撮影する撮影部と、
前記撮影部により取得された動画像と、前記動画像におけるスキャン位置およびスキャン方向を表す２以上のスキャンラインに対応した第１スキャン領域と、前記動画像におけるスキャン位置およびスキャン方向を表す２以上のスキャンラインに対応し前記第１スキャン領域に交差する第２スキャン領域とを表示手段に表示させる表示制御部と、
前記第１スキャン領域と前記第２スキャン領域との相対位置を変更するための操作部と、
相対位置が変更された後の前記第１スキャン領域に対応する２以上のスキャンラインと前記第２スキャン領域に対応する２以上のスキャンラインとに基づいて前記計測部に光コヒーレンストモグラフィを実行させる計測制御部と
を含む眼科撮影装置。
【請求項２】
前記２以上のスキャンラインは、互いに平行であり、
前記第１スキャン領域及び前記第２スキャン領域の少なくとも一方のスキャン開始位置側の境界は、前記２以上のスキャンラインの開始位置により画定され、
前記第１スキャン領域及び前記第２スキャン領域の少なくとも一方のスキャン終了位置側の境界は、前記２以上のスキャンラインの終了位置により画定される、
ことを特徴とする請求項１に記載の眼科撮影装置。
【請求項３】
前記第１スキャン領域及び前記第２スキャン領域の少なくとも一方は、前記２以上のスキャンラインの外側の２つのスキャンラインから更に外側に所定の距離だけ離れた位置により画定される、
ことを特徴とする請求項１に記載の眼科撮影装置。
【請求項４】
前記操作部は、前記第１スキャン領域及び前記第２スキャン領域の少なくとも一方のサイズを変更するためのサイズ変更操作に用いられ、
前記計測制御部は、サイズ変更後のスキャン領域のサイズに応じて、間隔が変更された２以上のスキャンラインを配置する
ことを特徴とする請求項１〜請求項３のいずれか一項に記載の眼科撮影装置。
【請求項５】
前記操作部は、前記第１スキャン領域又は前記第２スキャン領域を回転移動するための回転移動操作に用いられ、
前記表示制御部は、前記第１スキャン領域及び前記第２スキャン領域の一方の表示位置を固定した状態で、前記回転移動操作に応じて、前記第１スキャン領域及び前記第２スキャン領域の他方の表示位置を移動させる、
ことを特徴とする請求項１〜請求項４のいずれか一項に記載の眼科撮影装置。
【請求項６】
前記計測制御部は、前記第１スキャン領域に対応した２以上のスキャンラインの少なくとも１つに沿う第１スキャンと、前記第２スキャン領域に対応した２以上のスキャンラインの少なくとも１つに沿う第２スキャンとを交互に実行させる、
ことを特徴とする請求項１〜請求項５のいずれか一項に記載の眼科撮影装置。
【請求項７】
前記操作部は、前記第１スキャン領域及び前記第２スキャン領域の少なくとも一方において、隣接するスキャンラインの間隔を変更するための間隔変更操作に用いられ、
前記表示制御部は、前記間隔変更操作に応じて、前記第１スキャン領域及び前記第２スキャン領域の少なくとも一方において、隣接するスキャンラインの間隔を変更し、
前記計測制御部は、前記間隔が変更されたスキャンラインに基づいて前記計測部に光コヒーレンストモグラフィを実行させる、
ことを特徴とする請求項１〜請求項６のいずれか一項に記載の眼科撮影装置。
【発明の詳細な説明】
【技術分野】
【０００１】
この発明は、眼科撮影装置に関する。
【背景技術】
【０００２】
眼科分野では、被検眼を撮影するための様々な装置が用いられる。近年では、眼底や前眼部の断面像や３次元画像を取得可能な光干渉断層計が注目を集めている。
【０００３】
光干渉断層計においては、撮影対象や解析対象に応じて様々なスキャンパターンが用いられる。スキャンパターンの例として、ラインスキャン（水平スキャン、垂直スキャン等）、クロススキャン、ラジアルスキャン、同心円スキャン、３次元スキャンなどがある。
【０００４】
更に、２以上のスキャンパターンを組み合わせたスキャンパターンを適用することもできる。たとえば、互いに平行な水平スキャンライン群と、互いに平行な垂直スキャンライン群とが、双方のスキャンライン群の中央位置付近にて直交するように配列されたスキャンパターンがある（「マルチラインクロス」と呼ぶ）。実用上、５本の水平スキャンラインと５本の垂直スキャンラインとを組み合わせた「５ラインクロス」と呼ばれるスキャンパターンが用いられている。
【０００５】
ユーザは、スキャンパターンの選択とともに、スキャン位置の設定を行う。たとえば、ユーザは、スキャンパターンとして５ラインクロスを選択し、５ラインクロスの交差領域が被検眼の注目部位（黄斑等）に配置されるようにスキャン位置を設定する。スキャン位置の設定は、被検眼の観察画像（動画像）上に表示されたスキャンパターンを表すマーク（像）を移動することによって行われる。
【先行技術文献】
【特許文献】
【０００６】
【特許文献１】特開２０１４−１５５８７５号公報
【発明の概要】
【発明が解決しようとする課題】
【０００７】
従来の眼科撮影装置では、上記のように、選択されたスキャンパターンの形状を維持した状態で当該スキャンパターン（マーク）を移動することにより、注目部位およびその周辺部位の観察が行われていた。
【０００８】
しかしながら、眼科撮影装置では、ハードウェアの制約等により制限されたスキャン可能範囲内でしかスキャンパターンを移動することができず、スキャンパターンの交差領域をスキャン可能範囲内の任意の位置に配置させることができない。たとえば、スキャン可能範囲の境界近傍に位置する注目部位およびその周辺部位を観察したい場合、当該注目部位またはその近傍にスキャン位置を設定することができず、当該注目部位を観察することができない。この場合、固視標の移動等により観察画像上で注目部位を移動する必要があり、スキャンの自由度が低下する。
【０００９】
この発明は、このような問題を解決するためになされたものであり、その目的は、スキャンの自由度を向上させる技術を提供することにある。
【課題を解決するための手段】
【００１０】
実施形態の眼科撮影装置は、光コヒーレンストモグラフィを用いて被検眼をスキャンすることにより断面像を取得する。眼科撮影装置は、計測部と、撮影部と、表示制御部と、操作部と、計測制御部とを含む。計測部は、光コヒーレンストモグラフィを実行する。撮影部は、被検眼を動画撮影する。表示制御部は、撮影部により取得された動画像と、動画像におけるスキャン位置およびスキャン方向を表す２以上のスキャンラインに対応した第１スキャン領域と、動画像におけるスキャン位置およびスキャン方向を表す２以上のスキャンラインに対応し第１スキャン領域に交差する第２スキャン領域とを表示手段に表示させる。操作部は、第１スキャン領域と第２スキャン領域との相対位置を変更するために用いられる。計測制御部は、相対位置が変更された後の第１スキャン領域に対応する２以上のスキャンラインと第２スキャン領域に対応する２以上のスキャンラインとに基づいて計測部に光コヒーレンストモグラフィを実行させる。
【発明の効果】
【００１１】
この発明によれば、スキャンの自由度を向上させることが可能である。
【図面の簡単な説明】
【００１２】
【図１】実施形態に係る眼科撮影装置の構成の一例を表す概略図である。
【図２】実施形態に係る眼科撮影装置の構成の一例を表す概略図である。
【図３】実施形態に係る眼科撮影装置の構成の一例を表す概略図である。
【図４】実施形態に係る眼科撮影装置の動作を説明するための概略図である。
【図５】実施形態に係る眼科撮影装置の動作を説明するための概略図である。
【図６Ａ】実施形態に係る眼科撮影装置の動作を説明するための概略図である。
【図６Ｂ】実施形態に係る眼科撮影装置の動作を説明するための概略図である。
【図６Ｃ】実施形態に係る眼科撮影装置の動作を説明するための概略図である。
【図７】実施形態に係る眼科撮影装置の動作を説明するための概略図である。
【図８Ａ】実施形態に係る眼科撮影装置の動作を説明するための概略図である。
【図８Ｂ】実施形態に係る眼科撮影装置の動作を説明するための概略図である。
【図９Ａ】実施形態に係る眼科撮影装置の動作を説明するための概略図である。
【図９Ｂ】実施形態に係る眼科撮影装置の動作を説明するための概略図である。
【図１０】実施形態に係る眼科撮影装置の動作を説明するための概略図である。
【発明を実施するための形態】
【００１３】
この発明の実施形態の一例について、図面を参照しながら詳細に説明する。この発明に係る眼科撮影装置は、光干渉断層計の機能を有し、被検眼の光コヒーレンストモグラフィ（Ｏｐｔｉｃａｌ  Ｃｏｈｅｒｅｎｃｅ  Ｔｏｍｏｇｒａｐｈｙ：以下、ＯＣＴ）を実行する。このＯＣＴは、たとえば眼底や前眼部など、被検眼の任意の部位に対して実行される。
【００１４】
この明細書では、ＯＣＴによって取得される画像をＯＣＴ画像と総称することがある。また、この明細書において引用された文献の記載内容を、以下の実施形態の内容として援用することが可能である。
【００１５】
以下の実施形態では、フーリエドメインタイプのＯＣＴを実行可能な眼科撮影装置について説明する。特に、実施形態に係る眼科撮影装置は、スウェプトソースタイプのＯＣＴの手法を適用可能である。なお、スウェプトソースタイプ以外のタイプ、たとえばスペクトラルドメインタイプのＯＣＴを実行可能な眼科撮影装置に対して、この発明に係る構成を適用することも可能である。また、以下の実施形態ではＯＣＴ装置と眼底カメラとを組み合わせた装置について説明するが、眼底カメラ以外のモダリティ、たとえばＳＬＯ（Ｓｃａｎｎｉｎｇ  Ｌａｓｅｒ  Ｏｐｈｔｈａｌｍｏｓｃｏｐｅ）、スリットランプ、眼科手術用顕微鏡、光凝固装置などに、実施形態に係る構成を有するＯＣＴ装置を組み合わせることも可能である。また、実施形態に係る構成を、単体のＯＣＴ装置に組み込むことも可能である。
【００１６】
［構成］
図１に示すように、眼科撮影装置１は、眼底カメラユニット２、ＯＣＴユニット１００および演算制御ユニット２００を含んで構成される。眼底カメラユニット２は、従来の眼底カメラとほぼ同様の光学系を有する。ＯＣＴユニット１００には、ＯＣＴを実行するための光学系が設けられている。演算制御ユニット２００は、各種の演算処理や制御処理等を実行するコンピュータを具備している。
【００１７】
〔眼底カメラユニット〕
図１に示す眼底カメラユニット２には、被検眼Ｅの眼底Ｅｆの表面形態を表す２次元画像（眼底像）を取得するための光学系が設けられている。眼底像には、観察画像や撮影画像などが含まれる。観察画像は、たとえば、近赤外光を用いて所定のフレームレートで形成されるモノクロの動画像である。撮影画像は、たとえば、可視光をフラッシュ発光して得られるカラー画像、または近赤外光若しくは可視光を照明光として用いたモノクロの静止画像であってもよい。眼底カメラユニット２は、これら以外の画像、たとえばフルオレセイン蛍光画像やインドシアニングリーン蛍光画像や自発蛍光画像などを取得可能に構成されていてもよい。
【００１８】
眼底カメラユニット２には、被検者の顔を支持するための顎受けや額当てが設けられている。更に、眼底カメラユニット２には、照明光学系１０と撮影光学系３０が設けられている。照明光学系１０は眼底Ｅｆに照明光を照射する。撮影光学系３０は、この照明光の眼底反射光を撮像装置（ＣＣＤイメージセンサ（単にＣＣＤと呼ぶことがある）３５、３８）に導く。また、撮影光学系３０は、ＯＣＴユニット１００からの測定光を被検眼Ｅに導くとともに、被検眼Ｅを経由した測定光をＯＣＴユニット１００に導く。
【００１９】
照明光学系１０の観察光源１１は、たとえばハロゲンランプまたはＬＥＤ（Ｌｉｇｈｔ  Ｅｍｉｔｔｉｎｇ  Ｄｉｏｄｅ）により構成される。観察光源１１から出力された光（観察照明光）は、曲面状の反射面を有する反射ミラー１２により反射され、集光レンズ１３を経由し、可視カットフィルタ１４を透過して近赤外光となる。更に、観察照明光は、撮影光源１５の近傍にて一旦集束し、ミラー１６により反射され、リレーレンズ１７、１８、絞り１９およびリレーレンズ２０を経由する。そして、観察照明光は、孔開きミラー２１の周辺部（孔部の周囲の領域）にて反射され、ダイクロイックミラー４６を透過し、対物レンズ２２により屈折されて眼底Ｅｆを照明する。
【００２０】
観察照明光の眼底反射光は、対物レンズ２２により屈折され、ダイクロイックミラー４６を透過し、孔開きミラー２１の中心領域に形成された孔部を通過し、ダイクロイックミラー５５を透過し、合焦レンズ３１を経由し、ミラー３２により反射される。更に、この眼底反射光は、ハーフミラー３３Ａを透過し、ダイクロイックミラー３３により反射され、集光レンズ３４によりＣＣＤイメージセンサ３５の受光面に結像される。ＣＣＤイメージセンサ３５は、たとえば所定のフレームレートで眼底反射光を検出する。表示装置３には、ＣＣＤイメージセンサ３５により検出された眼底反射光に基づく画像（観察画像）が表示される。なお、撮影光学系３０のピントが前眼部に合わせられている場合、被検眼Ｅの前眼部の観察画像が表示される。
【００２１】
撮影光源１５は、たとえばキセノンランプまたはＬＥＤにより構成される。撮影光源１５から出力された光（撮影照明光）は、観察照明光と同様の経路を通って眼底Ｅｆに照射される。撮影照明光の眼底反射光は、観察照明光のそれと同様の経路を通ってダイクロイックミラー３３まで導かれ、ダイクロイックミラー３３を透過し、ミラー３６により反射され、集光レンズ３７によりＣＣＤイメージセンサ３８の受光面に結像される。表示装置３には、ＣＣＤイメージセンサ３８により検出された眼底反射光に基づく画像（撮影画像）が表示される。なお、観察画像を表示する表示装置３と撮影画像を表示する表示装置３は、同一のものであってもよいし、異なるものであってもよい。また、被検眼Ｅを赤外光で照明して同様の撮影を行う場合には、赤外の撮影画像が表示される。また、撮影光源としてＬＥＤを用いることも可能である。
【００２２】
ＬＣＤ（Ｌｉｑｕｉｄ  Ｃｒｙｓｔａｌ  Ｄｉｓｐｌａｙ）３９は、固視標や視力測定用指標を表示する。固視標は被検眼Ｅを固視させるための指標であり、眼底撮影時やＯＣＴ計測時などに使用される。
【００２３】
ＬＣＤ３９から出力された光は、その一部がハーフミラー３３Ａにて反射され、ミラー３２に反射され、合焦レンズ３１およびダイクロイックミラー５５を経由し、孔開きミラー２１の孔部を通過し、ダイクロイックミラー４６を透過し、対物レンズ２２により屈折されて眼底Ｅｆに投影される。
【００２４】
ＬＣＤ３９の画面上における固視標の表示位置を変更することにより、被検眼Ｅの固視位置を変更できる。被検眼Ｅの固視位置としては、たとえば従来の眼底カメラと同様に、眼底Ｅｆの黄斑を中心とする画像を取得するための位置や、視神経乳頭を中心とする画像を取得するための位置や、黄斑と視神経乳頭との間の眼底中心を中心とする画像を取得するための位置などがある。また、固視標の表示位置を任意に変更することも可能である。
【００２５】
更に、眼底カメラユニット２には、従来の眼底カメラと同様にアライメント光学系５０とフォーカス光学系６０が設けられている。アライメント光学系５０は、被検眼Ｅに対する装置光学系の位置合わせ（アライメント）を行うための指標（アライメント指標）を生成する。フォーカス光学系６０は、被検眼Ｅに対してフォーカス（ピント）を合わせるための指標（スプリット指標）を生成する。
【００２６】
アライメント光学系５０のＬＥＤ５１から出力された光（アライメント光）は、絞り５２、５３およびリレーレンズ５４を経由してダイクロイックミラー５５により反射され、孔開きミラー２１の孔部を通過し、ダイクロイックミラー４６を透過し、対物レンズ２２により被検眼Ｅの角膜に投影される。
【００２７】
アライメント光の角膜反射光は、対物レンズ２２、ダイクロイックミラー４６および上記孔部を経由し、その一部がダイクロイックミラー５５を透過し、合焦レンズ３１を通過し、ミラー３２により反射され、ハーフミラー３３Ａを透過し、ダイクロイックミラー３３に反射され、集光レンズ３４によりＣＣＤイメージセンサ３５の受光面に投影される。ＣＣＤイメージセンサ３５による受光像（アライメント指標）は、観察画像とともに表示装置３に表示される。ユーザは、従来の眼底カメラと同様の操作を行ってアライメントを実施する。また、演算制御ユニット２００がアライメント指標の位置を解析して光学系を移動させることによりアライメントを行ってもよい（オートアライメント機能）。
【００２８】
フォーカス調整を行う際には、照明光学系１０の光路上に反射棒６７の反射面が斜設される。フォーカス光学系６０のＬＥＤ６１から出力された光（フォーカス光）は、リレーレンズ６２を通過し、スプリット指標板６３により２つの光束に分離され、二孔絞り６４を通過し、ミラー６５に反射され、集光レンズ６６により反射棒６７の反射面に一旦結像されて反射される。更に、フォーカス光は、リレーレンズ２０を経由し、孔開きミラー２１に反射され、ダイクロイックミラー４６を透過し、対物レンズ２２により屈折されて眼底Ｅｆに投影される。
【００２９】
フォーカス光の眼底反射光は、アライメント光の角膜反射光と同様の経路を通ってＣＣＤイメージセンサ３５により検出される。ＣＣＤイメージセンサ３５による受光像（スプリット指標）は、観察画像とともに表示装置３に表示される。演算制御ユニット２００は、従来と同様に、スプリット指標の位置を解析して合焦レンズ３１およびフォーカス光学系６０を移動させてピント合わせを行う（オートフォーカス機能）。また、スプリット指標を視認しつつ手動でピント合わせを行ってもよい。
【００３０】
ダイクロイックミラー４６は、眼底撮影用の光路からＯＣＴ用の光路を分岐させている。ダイクロイックミラー４６は、ＯＣＴに用いられる波長帯の光を反射し、眼底撮影用の光を透過させる。このＯＣＴ用の光路には、ＯＣＴユニット１００側から順に、コリメータレンズユニット４０と、光路長変更部４１と、バリアブルクロスシリンダーレンズ（以下、ＶＣＣレンズ）４７と、光スキャナ４２と、合焦レンズ４３と、ミラー４４と、リレーレンズ４５とが設けられている。
【００３１】
光路長変更部４１は、図１に示す矢印の方向に移動可能とされ、ＯＣＴ用の光路の光路長を変更する。この光路長の変更は、被検眼Ｅの眼軸長に応じた光路長の補正や、干渉状態の調整などに利用される。光路長変更部４１は、たとえばコーナーキューブと、これを移動する機構とを含んで構成される。
【００３２】
光スキャナ４２は、被検眼Ｅの瞳孔と光学的に共役な位置に配置されている。光スキャナ４２は、ＯＣＴ用の光路を通過する光（測定光ＬＳ）の進行方向を変更する。それにより、被検眼Ｅを測定光ＬＳでスキャンすることができる。光スキャナ４２は、たとえば、測定光ＬＳをｘ方向にスキャンするガルバノミラーと、ｙ方向にスキャンするガルバノミラーと、これらを独立に駆動する機構とを含んで構成される。それにより、測定光ＬＳをｘｙ平面上の任意の方向にスキャンすることができる。
【００３３】
〔ＯＣＴユニット〕
ＯＣＴユニット１００の構成の一例を図２に示す。ＯＣＴユニット１００には、被検眼ＥのＯＣＴ画像を取得するための光学系が設けられている。この光学系は、従来のスウェプトソースタイプのＯＣＴ装置と同様の構成を有する。すなわち、この光学系は、波長走査型（波長掃引型）光源からの光を測定光と参照光とに分割し、被検眼Ｅからの測定光の戻り光と参照光路を経由した参照光とを干渉させて干渉光を生成し、この干渉光を検出する干渉光学系である。干渉光学系による干渉光の検出結果（検出信号）は、干渉光のスペクトルを示す信号であり、演算制御ユニット２００に送られる。
【００３４】
光源ユニット１０１は、一般的なスウェプトソースタイプのＯＣＴ装置と同様に、出射光の波長を走査（掃引）可能な波長走査型（波長掃引型）光源を含んで構成される。光源ユニット１０１は、人眼では視認できない近赤外の波長帯において、出力波長を時間的に変化させる。
【００３５】
光源ユニット１０１から出力された光Ｌ０は、光ファイバ１０２により偏波コントローラ１０３に導かれてその偏光状態が調整される。偏波コントローラ１０３は、たとえばループ状にされた光ファイバ１０２に対して外部から応力を与えることで、光ファイバ１０２内を導かれる光Ｌ０の偏光状態を調整する。
【００３６】
偏波コントローラ１０３により偏光状態が調整された光Ｌ０は、光ファイバ１０４によりファイバカプラ１０５に導かれて測定光ＬＳと参照光ＬＲとに分割される。
【００３７】
参照光ＬＲは、光ファイバ１１０によりコリメータ１１１に導かれて平行光束となる。平行光束となった参照光ＬＲは、光路長補正部材１１２および分散補償部材１１３を経由し、コーナーキューブ１１４に導かれる。光路長補正部材１１２は、参照光ＬＲの光路長（光学距離）と測定光ＬＳの光路長とを合わせるための遅延手段として作用する。分散補償部材１１３は、参照光ＬＲと測定光ＬＳとの間の分散特性を合わせるための分散補償手段として作用する。
【００３８】
コーナーキューブ１１４は、コリメータ１１１により平行光束となった参照光ＬＲの進行方向を逆方向に折り返す。コーナーキューブ１１４に入射する参照光ＬＲの光路と、コーナーキューブ１１４から出射する参照光ＬＲの光路とは平行である。また、コーナーキューブ１１４は、参照光ＬＲの入射光路および出射光路に沿う方向に移動可能とされている。この移動により参照光ＬＲの光路の長さが変更される。
【００３９】
なお、図１および図２に示す構成においては、測定光ＬＳの光路（測定光路、測定アーム）の長さを変更するための光路長変更部４１と、参照光ＬＲの光路（参照光路、参照アーム）の長さを変更するためのコーナーキューブ１１４の双方が設けられているが、これらのうちのいずれか一方が設けられていてもよい。また、これら以外の光学部材を用いて、測定光路長と参照光路長との差を変更することも可能である。
【００４０】
コーナーキューブ１１４を経由した参照光ＬＲは、分散補償部材１１３および光路長補正部材１１２を経由し、コリメータ１１６によって平行光束から集束光束に変換されて光ファイバ１１７に入射し、偏波コントローラ１１８に導かれて参照光ＬＲの偏光状態が調整される。
【００４１】
偏波コントローラ１１８は、たとえば、偏波コントローラ１０３と同様の構成を有する。偏波コントローラ１１８により偏光状態が調整された参照光ＬＲは、光ファイバ１１９によりアッテネータ１２０に導かれて、演算制御ユニット２００の制御の下で光量が調整される。アッテネータ１２０により光量が調整された参照光ＬＲは、光ファイバ１２１によりファイバカプラ１２２に導かれる。
【００４２】
一方、ファイバカプラ１０５により生成された測定光ＬＳは、光ファイバ１２７により導かれ、コリメータレンズユニット４０により平行光束とされる。平行光束にされた測定光ＬＳは、光路長変更部４１、光スキャナ４２、合焦レンズ４３、ミラー４４、およびリレーレンズ４５を経由してダイクロイックミラー４６に到達する。そして、測定光ＬＳは、ダイクロイックミラー４６により反射され、対物レンズ２２により屈折されて被検眼Ｅに照射される。測定光ＬＳは、被検眼Ｅの様々な深さ位置において散乱（反射を含む）される。このような後方散乱光を含む測定光ＬＳの戻り光は、往路と同じ経路を逆向きに進行してファイバカプラ１０５に導かれ、光ファイバ１２８を経由してファイバカプラ１２２に到達する。
【００４３】
ファイバカプラ１２２は、光ファイバ１２８を介して入射された測定光ＬＳと、光ファイバ１２１を介して入射された参照光ＬＲとを合成して（干渉させて）干渉光を生成する。ファイバカプラ１２２は、所定の分岐比（たとえば１：１）で、測定光ＬＳと参照光ＬＲとの干渉光を分岐することにより、一対の干渉光ＬＣを生成する。ファイバカプラ１２２から出射した一対の干渉光ＬＣは、それぞれ光ファイバ１２３、１２４により検出器１２５に導かれる。
【００４４】
検出器１２５は、たとえば一対の干渉光ＬＣをそれぞれ検出する一対のフォトディテクタを有し、これらによる検出結果の差分を出力するバランスドフォトダイオード（Ｂａｌａｎｃｅｄ  Ｐｈｏｔｏ  Ｄｉｏｄｅ）である。検出器１２５は、その検出結果（検出信号）を演算制御ユニット２００に送る。演算制御ユニット２００は、たとえば一連の波長走査毎に（Ａライン毎に）、検出器１２５により得られた検出結果に基づくスペクトル分布にフーリエ変換等を施すことにより、各Ａラインにおける反射強度プロファイルを形成する。更に、演算制御ユニット２００は、各Ａラインの反射強度プロファイルを画像化することにより画像データを形成する。
【００４５】
この実施形態ではマイケルソン型の干渉光学系を採用しているが、たとえばマッハツェンダー型など任意のタイプの干渉光学系を採用することが可能である。
【００４６】
〔演算制御ユニット〕
演算制御ユニット２００の構成について説明する。演算制御ユニット２００は、検出器１２５から入力される検出信号を解析して被検眼ＥのＯＣＴ画像を形成する。そのための演算処理は、従来のスウェプトソースタイプのＯＣＴ装置と同様である。
【００４７】
また、演算制御ユニット２００は、眼底カメラユニット２、表示装置３およびＯＣＴユニット１００の各部を制御する。たとえば演算制御ユニット２００は、被検眼ＥのＯＣＴ画像を表示装置３に表示させる。
【００４８】
また、眼底カメラユニット２の制御として、演算制御ユニット２００は、観察光源１１、撮影光源１５およびＬＥＤ５１、６１の動作制御、ＬＣＤ３９の動作制御、合焦レンズ３１、４３の移動制御、反射棒６７の移動制御、フォーカス光学系６０の移動制御、光路長変更部４１の移動制御、光スキャナ４２の動作制御などを行う。
【００４９】
また、ＯＣＴユニット１００の制御として、演算制御ユニット２００は、光源ユニット１０１の動作制御、コーナーキューブ１１４の移動制御、検出器１２５の動作制御、アッテネータ１２０の動作制御、偏波コントローラ１０３、１１８の動作制御などを行う。
【００５０】
演算制御ユニット２００は、たとえば、従来のコンピュータと同様に、マイクロプロセッサ、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ハードディスクドライブ、通信インターフェイスなどを含んで構成される。ハードディスクドライブ等の記憶装置には、眼科撮影装置１を制御するためのコンピュータプログラムが記憶されている。演算制御ユニット２００は、各種の回路基板、たとえばＯＣＴ画像を形成するための回路基板を備えていてもよい。また、演算制御ユニット２００は、キーボードやマウス等の操作デバイス（入力デバイス）や、ＬＣＤ等の表示デバイスを備えていてもよい。
【００５１】
眼底カメラユニット２、表示装置３、ＯＣＴユニット１００および演算制御ユニット２００は、一体的に（つまり単一の筺体内に）構成されていてもよいし、２つ以上の筐体に別れて構成されていてもよい。
【００５２】
〔制御系〕
眼科撮影装置１の制御系の構成について図３を参照しつつ説明する。なお、図３においては、眼科撮影装置１のいくつかの構成要素が省略されており、この実施形態を説明するために特に必要な構成要素が選択的に示されている。
【００５３】
（制御部）
眼科撮影装置１の制御系は、制御部２１０を中心に構成される。制御部２１０は、たとえば、マイクロプロセッサ、ＲＡＭ、ＲＯＭ、ハードディスクドライブ、通信インターフェイス等を含んで構成される。制御部２１０には、主制御部２１１と記憶部２１２が設けられている。
【００５４】
（主制御部）
主制御部２１１は前述の各種制御を行う。特に、図３に示すように、主制御部２１１は、眼底カメラユニット２の撮影合焦駆動部３１Ａ、ＣＣＤイメージセンサ３５および３８、ＬＣＤ３９、光路長変更部４１、光スキャナ４２およびＯＣＴ合焦駆動部４３Ａ、並びに、ＯＣＴユニット１００の光源ユニット１０１、参照駆動部１１４Ａおよび検出器１２５などを制御する。
【００５５】
撮影合焦駆動部３１Ａは、合焦レンズ３１を光軸方向に移動させる。それにより、撮影光学系３０の合焦位置が変更される。なお、主制御部２１１は、図示しない光学系駆動部を制御して、眼底カメラユニット２に設けられた光学系を３次元的に移動させることができる。この制御は、アライメントやトラッキングにおいて用いられる。トラッキングとは、被検眼Ｅの運動に合わせて装置光学系を移動させるものである。トラッキングを行う場合には、事前にアライメントとピント合わせが実行される。トラッキングは、被検眼Ｅを動画撮影して得られる画像に基づき被検眼Ｅの位置や向きに合わせて装置光学系をリアルタイムで移動させることにより、アライメントとピントが合った好適な位置関係を維持する機能である。
【００５６】
ＯＣＴ合焦駆動部４３Ａは、測定光路の光軸に沿って合焦レンズ４３を移動させる。それにより、測定光ＬＳの合焦位置が変更される。測定光ＬＳの合焦位置は、測定光ＬＳのビームウェストの深さ位置（ｚ位置）に相当する。
【００５７】
参照駆動部１１４Ａは、参照光路に設けられたコーナーキューブ１１４を移動させる。それにより、参照光路の長さが変更される。なお、前述したように、光路長変更部４１と、コーナーキューブ１１４および参照駆動部１１４Ａとのいずれか一方のみが設けられた構成であってもよい。
【００５８】
図３に示すように、主制御部２１１は、計測制御部２１１１と、表示制御部２１１２とを有する。
【００５９】
（計測制御部）
計測制御部２１１１は、眼底カメラユニット２およびＯＣＴユニット１００によるＯＣＴ計測を制御する。たとえば、計測制御部２１１１は、測定光ＬＳのスキャンに関する条件（スキャン条件）や、測定光ＬＳのフォーカスに関する条件（フォーカス条件）、測定光ＬＳと参照光ＬＲとの干渉状態に関する条件（干渉条件）、固視に関する条件（固視条件）などを制御する。スキャン条件には、光スキャナ４２の制御に関するスキャンパターンやスキャン間隔やスキャン可能範囲などがある。また、スキャン条件には、スキャンパターンの選択、選択されたスキャンパターンのスキャン位置やスキャン方向、スキャンパターンの形状なども含まれる。スキャンパターンは、スキャンの形状を表す条件であり、その具体例として、線分状のラインスキャン、円形状のサークルスキャン、ラスタースキャン、クロススキャン、ラジアルスキャンなどがある。スキャン間隔には、隣接するスキャンパターンの間隔や、後述するスキャン領域の間隔や、マルチラインクロスの場合にはスキャンパターン内の隣接するスキャンラインの間隔などがある。スキャン可能範囲は、眼科撮影装置１のハードウェア構成などによって一意に定まるが、その位置を制御することが可能である。フォーカス条件には、合焦レンズ４３（ＯＣＴ合焦駆動部４３Ａ）等の制御に関する測定光ＬＳの合焦位置などがある。干渉条件は、合焦レンズ４３（ＯＣＴ合焦駆動部４３Ａ）やコーナーキューブ１１４（参照駆動部１１４Ａ）や偏波コントローラ１１８やアッテネータ１２０の制御に関する。固視条件には、ＬＣＤ３９の制御に関する固視標の投影位置などがある。計測制御部２１１１は、設定された条件に基づいて制御を実行する。なお、計測制御部２１１１により制御される条件はこれらに限定されず、たとえば被検眼Ｅのディオプタに応じた視度補正などがある。
【００６０】
（表示制御部）
表示制御部２１１２は、各種の情報を表示部２４１に表示させる。表示制御部２１１２は、ＣＣＤイメージセンサ３５（またはＣＣＤイメージセンサ３８）により検出された眼底反射光に基づいて生成された被検眼Ｅの観察画像（動画像）に、計測制御部２１１１により制御されたスキャンパターンに対応するスキャンパターン像を重ね合わせて表示部２４１に表示させることが可能である。
【００６１】
（記憶部）
記憶部２１２は、各種のデータを記憶する。記憶部２１２に記憶されるデータとしては、たとえば、ＯＣＴ画像の画像データ、眼底像の画像データ、被検眼情報などがある。被検眼情報は、患者ＩＤや氏名などの被検者に関する情報や、左眼／右眼の識別情報などの被検眼に関する情報を含む。また、記憶部２１２には、眼科撮影装置１を動作させるための各種プログラムやデータが記憶されている。
【００６２】
（画像形成部）
画像形成部２２０は、検出器１２５からの検出信号に基づいて、眼底Ｅｆの断面像の画像データを形成する。すなわち、画像形成部２２０は、干渉光学系による干渉光ＬＣの検出結果に基づいて被検眼Ｅの画像データを形成する。この処理には、従来のスウェプトソースタイプのＯＣＴと同様に、ノイズ除去（ノイズ低減）、フィルタ処理、ＦＦＴ（Ｆａｓｔ  Ｆｏｕｒｉｅｒ  Ｔｒａｎｓｆｏｒｍ）などの処理が含まれている。このようにして取得される画像データは、複数のＡライン（被検眼Ｅ内における各測定光ＬＳの経路）における反射強度プロファイルを画像化することにより形成された一群の画像データを含むデータセットである。
【００６３】
画質を向上させるために、同じパターンでのスキャンを複数回繰り返して収集された複数のデータセットを重ね合わせる（加算平均する）ことができる。
【００６４】
画像形成部２２０は、たとえば、前述の回路基板を含んで構成される。なお、この明細書では、「画像データ」と、それに基づく「画像」とを同一視することがある。また、被検眼Ｅの部位とその画像とを同一視することもある。
【００６５】
（データ処理部）
データ処理部２３０は、画像形成部２２０により形成されたＯＣＴ画像に対して各種のデータ処理（画像処理）や解析処理を施す。たとえば、データ処理部２３０は、画像の輝度補正や分散補正等の補正処理を実行する。また、データ処理部２３０は、眼底カメラユニット２により得られた画像（眼底像、前眼部像等）に対して各種の画像処理や解析処理を施す。
【００６６】
データ処理部２３０は、断面像の間の画素を補間する補間処理などの公知の画像処理を実行することにより、被検眼Ｅのボリュームデータ（ボクセルデータ）を形成することができる。ボリュームデータに基づく画像を表示させる場合、データ処理部２３０は、このボリュームデータに対してレンダリング処理を施して、特定の視線方向から見たときの擬似的な３次元画像を形成する。
【００６７】
データ処理部２３０は、眼底像とＯＣＴ画像との位置合わせを行うことができる。眼底像とＯＣＴ画像とが並行して取得される場合には、双方の光学系が同軸であることから、（ほぼ）同時に取得された眼底像とＯＣＴ画像とを、撮影光学系３０の光軸を基準として位置合わせすることができる。また、眼底像とＯＣＴ画像との取得タイミングに関わらず、ＯＣＴ画像のうち眼底Ｅｆの相当する画像領域の少なくとも一部をｘｙ平面に投影して得られる正面画像と、眼底像との位置合わせをすることにより、そのＯＣＴ画像とその眼底像とを位置合わせすることも可能である。この位置合わせ手法は、眼底像取得用の光学系とＯＣＴ用の光学系とが同軸でない場合においても適用可能である。また、双方の光学系が同軸でない場合であっても、双方の光学系の相対的な位置関係が既知であれば、この相対位置関係を参照して同軸の場合と同様の位置合わせを実行することが可能である。
【００６８】
以上のように機能するデータ処理部２３０は、たとえば、マイクロプロセッサ、ＲＡＭ、ＲＯＭ、ハードディスクドライブ、回路基板等を含んで構成される。ハードディスクドライブ等の記憶装置には、上記機能をマイクロプロセッサに実行させるコンピュータプログラムがあらかじめ格納されている。
【００６９】
（ユーザインターフェイス）
ユーザインターフェイス２４０には、表示部２４１と操作部２４２とが含まれる。表示部２４１は、前述した演算制御ユニット２００の表示デバイスや表示装置３を含んで構成される。操作部２４２は、前述した演算制御ユニット２００の操作デバイスを含んで構成される。操作部２４２には、眼科撮影装置１の筐体や外部に設けられた各種のボタンやキーが含まれていてもよい。また、表示部２４１は、眼底カメラユニット２の筺体に設けられたタッチパネルなどの各種表示デバイスを含んでいてもよい。
【００７０】
なお、表示部２４１と操作部２４２は、それぞれ個別のデバイスとして構成される必要はない。たとえばタッチパネルのように、表示機能と操作機能とが一体化されたデバイスを用いることも可能である。その場合、操作部２４２は、このタッチパネルとコンピュータプログラムとを含んで構成される。操作部２４２に対する操作内容は、電気信号として制御部２１０に入力される。また、表示部２４１に表示されたグラフィカルユーザインターフェイス（ＧＵＩ）と、操作部２４２とを用いて、操作や情報入力を行うようにしてもよい。
【００７１】
眼科撮影装置１は、ＯＣＴ計測に適用されたスキャンパターンを記憶し、記憶されたスキャンパターンを次回以降のＯＣＴ計測に適用することが可能である。この場合、たとえば、操作部２４２は、被検者の識別情報を入力するために用いられる。記憶部２１２は、被検眼Ｅに適用されたスキャンパターンを表すスキャン情報を含む操作情報を識別情報と関連付けて記憶する。操作部２４２により新たに識別情報が入力されたとき、計測制御部２１１１は、新たに入力された識別情報に関連付けられたスキャン情報を記憶部２１２から読み出す。計測制御部２１１１は、読み出されたスキャン情報が表すスキャンパターンを適用して眼底カメラユニット２およびＯＣＴユニット１００にＯＣＴ計測を実行させる。
【００７２】
また、記憶部２１２は、被検眼Ｅに対してスキャンパターンが適用された位置を表す情報を含むスキャン情報を記憶してもよい。この場合、計測制御部２１１１は、新たに入力された識別情報に関連付けられたスキャン情報を記憶部２１２から読み出し、読み出されたスキャン情報が表すスキャンパターンを当該スキャン情報が表す当該被検眼Ｅの位置に適用するように眼底カメラユニット２およびＯＣＴユニット１００を制御する。スキャン情報は、固視位置や観察画像中の位置を含んでもよい。
【００７３】
これにより、過去のＯＣＴ計測で適用されたスキャンパターンを次回以降の計測にも適用することができ、注目部位の経過観察などを精度よく行うことが可能となる。
【００７４】
ＬＣＤ３９は、この実施形態に係る「固視標投影部」の一例である。眼底カメラユニット２およびＯＣＴユニット１００は、この実施形態に係る「計測部」の一例である。ＣＣＤイメージセンサ３５またはＣＣＤイメージセンサ３８は、この実施形態に係る「撮影部」の一例である。この実施形態に係る「撮影部」は、ＣＣＤイメージセンサ３５またはＣＣＤイメージセンサ３８により検出される眼底反射光を生成するための光学系などを更に含んでもよい。表示部２４１は、この実施形態に係る「表示手段」の一例である。操作部２４２は、この実施形態に係る「操作部」の一例である。
【００７５】
［動作例］
眼科撮影装置１の動作について説明する。
【００７６】
（ライブスキャンにおけるスキャンパターンに関する動作例）
ライブスキャンでは、同じスキャンパターンでのＯＣＴスキャンを繰り返し実行する。このとき、被検眼Ｅに対して固視標が提示される。それにより、実質的に一定の断面が繰り返しＯＣＴスキャンされ、それにより得られる当該断面の動画像をリアルタイムで表示することができる。なお、ライブスキャンと並行してトラッキングを実行することで、眼球運動等の影響により反復的なＯＣＴスキャンが対象断面から外れる事態の発生を抑制できる。
【００７７】
以下の動作例では、クロススキャンの一種である「５ラインクロス」と呼ばれるスキャンパターンが適用される場合について説明する。
【００７８】
図４に、この実施形態に係る「５ラインクロス」の説明図を示す。図４は、「５ラインクロス」のスキャンパターンの一例を模式的に表す。
【００７９】
「５ラインクロス」は、第１方向Ｄ１（たとえば、ｘ方向）に延伸する互いに平行な５本の第１スキャンライン群ＳＣ１と、第１方向Ｄ１に直交する第２方向Ｄ２（たとえばｙ方向）に延伸する互いに平行な５本の第２スキャンライン群ＳＣ２とが交差するように配列されたスキャンパターンである。「５ラインクロス」は、第１スキャンライン群ＳＣ１によりスキャンされる第１スキャン領域Ｐ１と、第２スキャンライン群ＳＣ２によりスキャンされる第２スキャン領域Ｐ２とを形成する。第１スキャン領域Ｐ１と第２スキャン領域Ｐ２との交差領域Ｃ１は、たとえば眼底Ｅｆの注目部位（黄斑（中心窩）、視神経乳頭、黄斑と視神経乳頭との間の任意の位置等）に重なるように配置される。
【００８０】
各スキャンライン群を構成する線分状のスキャンラインの矢印は当該スキャンラインのスキャン方向を表し、スキャンラインの始点および終点は当該スキャンラインのスキャン開始位置およびスキャン終了位置を表し、スキャンラインの長さは当該スキャンラインのスキャンの長さを表している。すなわち、図４に示すスキャンラインは、当該スキャンラインに沿ったスキャンのスキャン位置およびスキャン方向を表している。たとえば、第１スキャン領域Ｐ１のスキャン開始位置側の境界は、５本のスキャンラインのスキャン開始位置により画定される。第１スキャン領域Ｐ１のスキャン終了位置側の境界は、５本のスキャンラインのスキャン終了位置により画定される。第１方向Ｄ１に平行な第１スキャン領域Ｐ１の境界は、第２方向Ｄ２に並んで配列された５本のスキャンラインのうち最も外側に配列された２本のスキャンライン、または当該２本のスキャンラインから更に外側に所定の距離だけ離れた位置により画定される。第２スキャン領域Ｐ２の境界についても、第１スキャン領域Ｐ１と同様に画定される。
【００８１】
なお、図４は、第１スキャン領域Ｐ１（第１スキャンライン群ＳＣ１）が第２スキャン領域Ｐ２（第２スキャンライン群ＳＣ２）に直交するように配置された例を示すが、第１スキャン領域Ｐ１は第２スキャン領域Ｐ２に直交することなく（任意の角度で）交差するように配置されていればよい。
【００８２】
また、図４は、第１スキャン領域Ｐ１および第２スキャン領域Ｐ２のそれぞれは５本のスキャンラインによりスキャンされる例を示すが、スキャンラインの本数に限定されるものではない。たとえば、第１スキャン領域Ｐ１および第２スキャン領域Ｐ２のうち少なくとも一方は、１本または３本のスキャンラインによりスキャンされる領域であってもよい。
【００８３】
また、「５ラインクロス」は、スキャン位置およびスキャン方向を表す２以上のスキャンラインに対応し、少なくとも２つが交差するように配置された２つのスキャン領域を有するスキャンパターンの例であるが、ラジアルスキャンのように、３以上のスキャン領域が交差するように配置されたスキャンパターンをこの実施形態に適用することも可能である。
【００８４】
スキャン時には、第１スキャンライン群ＳＣ１を構成する少なくとも１本のスキャンラインに沿う第１スキャンと、第２スキャンライン群ＳＣ２を構成する少なくとも１本のスキャンラインに沿う第２スキャンとが交互に実行される。なお、「第１スキャンと第２スキャンとを交互に実行する」とは、１回の第１スキャンと１回の第２スキャンとを交互に実行する場合だけでなく、１回以上の第１スキャンと１回以上の第２スキャンとを交互に実行する場合も含む概念である。また、各スキャン領域のスキャンライン群については、所定の順序で巡回的にスキャンされる。
【００８５】
また、互いに波長が異なる測定光を用いて第１方向Ｄ１のスキャンと第２方向Ｄ２のスキャンとを実行する場合には、第１スキャンと第２スキャンとを同時に実行することも可能である。
【００８６】
この実施形態では、第１スキャン領域Ｐ１と第２スキャン領域Ｐ２との相対位置を自動または手動で変更することが可能である。
【００８７】
相対位置を自動で変更する場合、データ処理部２３０は、被検眼Ｅの観察画像を解析して特定部位（黄斑、中心窩、視神経乳頭、血管、疾患部など）の位置を特定し、この特定部位または特定部位により決まる部位を通過するように第１スキャン領域Ｐ１と第２スキャン領域Ｐ２との相対位置を変更することでスキャン位置を設定する。このとき、たとえば、第１スキャン領域Ｐ１と第２スキャン領域Ｐ２との交差領域Ｃ１を上記解析により特定部位に一致させるようにスキャン位置を設定する。相対位置の変更は、各スキャン領域をあらかじめ決められた方向に移動することにより行う。たとえば、第１スキャン領域Ｐ１の移動方向は、第１方向Ｄ１またはその反対方向である。また、たとえば、第２スキャン領域Ｐ２の移動方向は、第２方向Ｄ２またはその反対方向である。スキャン領域の移動には、平行移動および回転移動の少なくとも一方が含まれる。このようなスキャン領域の移動によるスキャン位置の移動制御は、計測制御部２１１１が、スキャン位置の変更内容（移動方向および移動量）に応じて各スキャン領域のスキャンラインを同じ方向に同じ量（同じ距離）だけ移動させるように、光スキャナ４２を制御するための設定を変更することにより実行される。
【００８８】
一方、相対位置を手動で変更する場合、ユーザがユーザインターフェイス２４０を用いて、移動対象のスキャン領域を指定し、指定されたスキャン領域を移動することにより行う。以下、図５〜図９Ｂを参照しつつ、相対位置を手動で変更する場合の動作例を説明する。
【００８９】
図５に、第１スキャン領域Ｐ１と第２スキャン領域Ｐ２との相対位置を変更するための表示部２４１の画面の一例を模式的に示す。
【００９０】
ユーザは、公知の手法により、ユーザインターフェイス２４０を用いてスキャンパターンを選択する。選択されたスキャンパターンが「５ラインクロス」の場合、表示制御部２１１２は、ＣＣＤイメージセンサ３５により検出された眼底反射光に基づいて生成された被検眼Ｅの動画像に重ね合わせて、表示部２４１の表示領域内の初期位置および初期方向に合わせて、「５ラインクロス」のスキャンパターンに対応したスキャンパターン像ＳＰ１、ＳＰ２を表示させる。あるいは、表示制御部２１１２は、ＣＣＤイメージセンサ３５により検出された眼底反射光に基づく被検眼Ｅの動画像に重ね合わせて、表示部２４１の表示領域内における前回のスキャン位置およびスキャン方向に合わせてスキャンパターン像ＳＰ１、ＳＰ２を表示させてもよい。スキャンパターン像ＳＰ１、ＳＰ２は、スキャン位置およびスキャン方向を表す２以上のスキャンライン（この実施形態では、２つの方向についてそれぞれ５本のスキャンライン）に対応して表示部２４１に表示された像であって、少なくとも２つが交差するように配置された像である。なお、以下では、第１スキャン領域Ｐ１とこれに対応して表示部２４１に表示されるスキャンパターン像ＳＰ１とを同一視することがある。同様に、第２スキャン領域Ｐ２とこれに対応して表示部２４１に表示されるスキャンパターン像ＳＰ２とを同一視することがある。
【００９１】
スキャンパターン像は、たとえば、図５に示すように、当該スキャンパターンを構成する第１スキャン領域Ｐ１の境界を表す像ＳＰ１と、当該スキャンパターンを構成する第２スキャン領域Ｐ２の境界を表す像ＳＰ２である。また、スキャンパターン像は、たとえば、第１スキャン領域Ｐ１内の第１スキャンライン群ＳＣ１に対応したスキャンラインの像ＳＬ１と、第２スキャン領域Ｐ２内の第２スキャンライン群ＳＣ２に対応したスキャンラインの像ＳＬ２であってもよい（図５）。あるいは、注目部位の観察を妨げないように、スキャンパターン像は、各スキャン領域内のスキャンラインのスキャン開始位置近傍とスキャン終了位置近傍との像であってもよい。このスキャンパターン像には、更に、交差領域Ｃ１を表す像が含まれていてもよい。たとえば、図５では、スキャンパターン像として、像ＳＰ１、ＳＰ２および像ＳＬ１、ＳＬ２の双方が図示されているが、いずれか一方だけが表示部２４１に表示されていればよい。
【００９２】
また、表示制御部２１１２は、図５に示すように、上記のスキャンパターン像ＳＰ１、ＳＰ２が表示された表示部２４１の表示領域内に眼科撮影装置１のスキャン可能範囲に対応した表示範囲Ｒ１も表示させることが可能である。これにより、スキャンパターン像ＳＰ１（第１スキャン領域Ｐ１）およびスキャンパターン像ＳＰ２（第２スキャン領域Ｐ２）の移動可能な範囲の把握が容易になる。従って、ユーザは、移動可能な範囲を確認しつつスキャンパターン像ＳＰ１、ＳＰ２の相対位置を変更することができる。なお、以下では、スキャン可能範囲とこれに対応して表示部２４１に表示される表示範囲Ｒ１とを同一視することがある。
【００９３】
操作部２４２は、ユーザによる各種操作を受け付ける。たとえば、操作部２４２は、スキャンパターン像ＳＰ１、ＳＰ２のいずれかの指定操作（第１指定操作）と、当該指定操作により指定されたスキャンパターン像を平行移動または回転移動するための移動操作（第１移動操作）とを受け付ける。指定操作は、たとえば、移動可能なスキャン領域群に対応したスキャンパターン像群の中から選択することにより行われる。移動操作は、たとえば、指定操作により指定されたスキャンパターン像の移動方向および移動量を指定することにより行われる。また、タッチパネルが表示部２４１と操作部２４２として機能する場合、表示部２４１の画面が操作画面として機能する。この場合、指定操作は、たとえば、移動可能なスキャンパターン像群の中から所望のスキャンパターン像に関連付けられた操作画面内の位置に対するタッチ操作により行われる。移動操作は、たとえば、指定操作により指定されたスキャンパターン像の移動方向および移動量を操作画面に対するドラッグ操作により行われる。
【００９４】
第１スキャン領域Ｐ１を平行移動させる場合について、図６Ａを更に参照して説明する。図６Ａにおいて、図５と同様の部分には同一符号を付し、適宜説明を省略する。
【００９５】
図５に示す状態において、操作部２４２に対してユーザがスキャンパターン像ＳＰ１の指定操作を行うと、計測制御部２１１１（主制御部２１１）は、操作部２４２に対する操作内容に基づいて第１スキャン領域Ｐ１を特定する。続いて、操作部２４２に対してユーザが移動方向Ｄ４に所定の移動量だけ移動するためのスキャンパターン像ＳＰ１の移動操作を行うと、計測制御部２１１１は、操作部２４２に対する操作内容に基づいて、移動方向Ｄ４に所定の移動量だけ移動された第１スキャン領域Ｐ１の位置を求める。表示制御部２１１２は、計測制御部２１１１により求められた第１スキャン領域Ｐ１の位置に対応した表示位置にスキャンパターン像ＳＰ１を表示させる（図６Ａに示す状態）。これにより、表示制御部２１１２は、スキャン領域に対応したスキャンパターン像の表示位置を移動操作に応じて変更することができる。なお、移動方向Ｄ４は、第２方向Ｄ２に平行な方向として図示しているが、眼底Ｅｆの表面に沿った任意の方向であってよい。スキャンパターン像ＳＰ１の移動後の位置が確定すると、計測制御部２１１１は、相対位置が変更された後のスキャンパターン像ＳＰ１、ＳＰ２に対応するスキャン領域Ｐ１、Ｐ２内のスキャンラインに基づいて光スキャナ４２によるスキャン位置を制御することにより、眼底カメラユニット２およびＯＣＴユニット１００にＯＣＴ計測を実行させる。
【００９６】
第２スキャン領域Ｐ２を平行移動させる場合について、図６Ｂを更に参照して説明する。図６Ｂにおいて、図５と同様の部分には同一符号を付し、適宜説明を省略する。
【００９７】
図５に示す状態において、図６Ａと同様に、操作部２４２に対してユーザがスキャンパターン像ＳＰ２の指定操作を行うと、計測制御部２１１１は、操作部２４２に対する操作内容に基づいて第２スキャン領域Ｐ２を特定する。続いて、操作部２４２に対してユーザが移動方向Ｄ３に所定の移動量だけ移動するためのスキャンパターン像ＳＰ２の移動操作を行うと、計測制御部２１１１は、操作部２４２に対する操作内容に基づいて、移動方向Ｄ３に所定の移動量だけ移動された第２スキャン領域Ｐ２の位置を求める。表示制御部２１１２は、計測制御部２１１１により求められた第２スキャン領域Ｐ２の位置に対応した表示位置にスキャンパターン像ＳＰ２を表示させる（図６Ｂに示す状態）。なお、移動方向Ｄ３は、第１方向Ｄ１に平行な方向として図示しているが、眼底Ｅｆの表面に沿った任意の方向であってよい。スキャンパターン像ＳＰ２の移動後の位置が確定すると、計測制御部２１１１は、相対位置が変更された後のスキャンパターン像ＳＰ１、ＳＰ２に対応するスキャン領域Ｐ１、Ｐ２内のスキャンラインに基づいて光スキャナ４２によるスキャン位置を制御することにより、眼底カメラユニット２およびＯＣＴユニット１００にＯＣＴ計測を実行させる。
【００９８】
なお、スキャンパターン像ＳＰ１、ＳＰ２（第１スキャン領域Ｐ１および第２スキャン領域Ｐ２）は、上記の平行移動と同様に、スキャン可能範囲に対応した表示範囲Ｒ１内の任意の位置を基準に回転移動させることも可能である。回転移動を行う場合、たとえば、ユーザは、回転中心位置を指定する操作と、回転させるスキャンパターン像を指定する操作と、指定されたスキャンパターン像を所望の角度だけ回転させる操作とを実行する。なお、既定位置を中心に回転移動を行うように構成することも可能である。たとえば、指定されたスキャンパターン像の中央位置が回転中心として設定される構成や、スキャンパターン像の交差領域の中央位置が回転中心として設定される構成や、既定の注目部位（中心窩等）が回転中心として設定される構成などを適用することが可能である。
【００９９】
また、ユーザは、ユーザインターフェイス２４０を用いて、スキャンパターン像ＳＰ１、ＳＰ２（第１スキャン領域Ｐ１および第２スキャン領域Ｐ２）を一体的に移動させることも可能である。この場合の処理は、たとえば次のようにして実行される。
【０１００】
操作部２４２は、ユーザによるスキャンパターン像ＳＰ１、ＳＰ２の指定操作（第２指定操作）と、当該指定操作により指定されたスキャンパターン像を平行移動または回転移動するための移動操作（第２移動操作）とを受け付ける。指定操作は、たとえば、２以上のスキャンパターン像のうち少なくとも２つが交差する交差領域を指定することにより行われる。移動操作は、たとえば、指定操作により指定されたスキャンパターン像ＳＰ１、ＳＰ２の移動方向および移動量を指定することにより行われる。また、タッチパネルが表示部２４１と操作部２４２として機能する場合、指定操作は、たとえば、表示部２４１の表示領域内に表示されたスキャンパターン像ＳＰ１、ＳＰ２の位置と異なる画面内（動画像中）の位置に対するタッチ操作により行われる。また、指定操作は、たとえば、２以上のスキャンパターン像のうち少なくとも２つが交差する交差領域に対するタッチ操作により行われてもよい。移動操作は、たとえば、上記のタッチ操作により指定された位置に対するドラッグ操作により行われる。
【０１０１】
第１スキャン領域Ｐ１および第２スキャン領域Ｐ２を一体的に移動させる場合について、図６Ｃを更に参照して説明する。図６Ｃにおいて、図５と同様の部分には同一符号を付し、適宜説明を省略する。
【０１０２】
図５に示す状態において、操作部２４２に対してユーザがスキャンパターン像ＳＰ１、ＳＰ２を一体的に指定する指定操作を行うと、計測制御部２１１１（主制御部２１１）は、操作部２４２に対する操作内容に基づいて第１スキャン領域Ｐ１および第２スキャン領域Ｐ２を特定する。続いて、操作部２４２に対してユーザが表示部２４１の表示領域内の任意の方向に所定の移動量だけ移動するためのスキャンパターン像ＳＰ１、ＳＰ２の移動操作を行うと、計測制御部２１１１は、操作部２４２に対する操作内容に基づいて、指定された移動方向に所定の移動量だけ移動された第１スキャン領域Ｐ１および第２スキャン領域Ｐ２の位置を求める。表示制御部２１１２は、計測制御部２１１１により求められた第１スキャン領域Ｐ１の位置に対応した表示位置にスキャンパターン像ＳＰ１を表示させ、計測制御部２１１１により求められた第２スキャン領域Ｐ２の位置に対応した表示位置にスキャンパターン像ＳＰ２を表示させる（図６Ｃに示す状態）。スキャンパターン像ＳＰ１、ＳＰ２の移動後の位置が確定すると、計測制御部２１１１は、一体的に移動された後のスキャンパターン像ＳＰ１、ＳＰ２に対応するスキャン領域Ｐ１、Ｐ２内のスキャンラインに基づいて光スキャナ４２によるスキャン位置を制御することにより、眼底カメラユニット２およびＯＣＴユニット１００にＯＣＴ計測を実行させる。
【０１０３】
なお、図６Ｃにおいて、スキャンパターンが２以上のスキャン領域により構成される場合には、ユーザは、２以上のスキャン領域に対応した２以上のスキャンパターン像の少なくとも一部を一体的に移動させることが可能である。
【０１０４】
上記のスキャンパターン像（スキャン領域）の移動は、眼科撮影装置１のスキャン可能範囲内に限定されてもよい。具体的には、計測制御部２１１１は、上記のように移動されたスキャンパターン像の位置を求め、求められた位置に移動後の当該スキャンパターン像の全体がスキャン可能範囲に対応する表示範囲内に含まれるか否かを判定する。移動後の当該スキャンパターン像の全体が表示範囲内に含まれないと判定されたとき、計測制御部２１１１は、移動後の当該スキャンパターン像の全体が表示範囲内に収まるように、上記の移動操作が行われたスキャンパターン像の位置を求める。これにより、表示制御部２１１２は、スキャン可能範囲に対応する表示部２４１の表示範囲Ｒ１内において、スキャンパターン像ＳＰ１、ＳＰ２の表示位置を変更可能とすることができる。
【０１０５】
また、所定の移動方向に所定の移動量のスキャン可能範囲を越えるスキャンパターン像の移動要求が操作部２４２を用いて行われたとき、当該スキャンパターン像を次のように移動させることが可能である。
【０１０６】
スキャンパターン像の移動要求が行われた場合の第１動作例について、図７を更に参照して説明する。図７において、図５と同様の部分には同一符号を付し、適宜説明を省略する。
【０１０７】
図５に示す状態において、移動方向Ｄ３（第１移動方向）に移動量ｄ３（第１移動量）のスキャン可能範囲（表示範囲Ｒ１）を越えるスキャンパターン像ＳＰ１の移動要求が操作部２４２を用いて行われたとき、計測制御部２１１１は、スキャンパターン像ＳＰ１がスキャン可能範囲の縁端に接触する位置を求め、この接触位置から移動方向Ｄ３の反対方向Ｄ３´（第２移動方向）に移動量ｄ３だけ移動された移動位置を求める。表示制御部２１１２は、計測制御部２１１１により求められた移動位置に対応した表示部２４１の表示位置に移動後のスキャンパターン像ＳＰ１´を表示させる（図７に示す状態）。同様に、移動方向Ｄ４に移動量ｄ４のスキャン可能範囲（表示範囲Ｒ１）を越えるスキャンパターン像ＳＰ２の移動要求が操作部２４２を用いて行われたとき、計測制御部２１１１は、移動経路においてスキャンパターン像ＳＰ２がスキャン可能範囲の縁端に接触する位置を求め、この接触位置から移動方向Ｄ４の反対方向Ｄ４´に移動量ｄ４だけ移動された移動位置を求める。表示制御部２１１２は、計測制御部２１１１により求められた移動位置に対応した表示部２４１の表示位置に移動後のスキャンパターン像ＳＰ２´を表示させる（図７に示す状態）。
【０１０８】
すなわち、要求された移動先が第１移動方向に第１移動量だけスキャン可能範囲の外部に位置する場合、表示制御部２１１２は、スキャン可能範囲の縁端に接触したスキャンパターン像の表示位置を、第１移動方向の反対方向である第２移動方向に第１移動量だけ変更することができる。これにより、スキャン可能範囲を越えるスキャンパターンの移動要求が行われた場合でも、スキャン可能範囲内の任意の位置に交差領域を配置させ、且つ、スキャン領域の面積を小さくすることなく注目部位のスキャンを行うことができる。
【０１０９】
スキャンパターン像の移動要求が行われた場合の第２動作例について、図８Ａおよび図８Ｂを更に参照して説明する。図８Ａおよび図８Ｂは、交差領域Ｃ１内の位置Ｑ１を基準とした回転移動要求が行われた場合の動作例を表し、図５と同様の部分には同一符号を付し、適宜説明を省略する。
【０１１０】
図５に示す状態において、所定の回転方向ＲＤ１にスキャン可能範囲（表示範囲Ｒ１）を越えるスキャンパターン像ＳＰ１の移動要求が操作部２４２を用いて行われたとき、計測制御部２１１１は、図８Ａに示すように、スキャンパターン像ＳＰ１がスキャン可能範囲の縁端に接触した位置（接触位置）を求める。表示制御部２１１２は、計測制御部２１１１により求められた接触位置に対応した表示部２４１の表示位置に回転後のスキャンパターン像ＳＰ１´を表示させる。同様に、表示制御部２１１２は、計測制御部２１１１により求められた接触位置に対応した表示部２４１の表示位置に回転後のスキャンパターン像ＳＰ２´を表示させる（図８Ａに示す状態）。
【０１１１】
また、図５に示す状態において、所定の回転方向ＲＤ２にスキャン可能範囲（表示範囲Ｒ１）を越えるスキャンパターン像ＳＰ２の移動要求が操作部２４２を用いて行われたとき、計測制御部２１１１は、図８Ｂに示すように、スキャンパターン像ＳＰ２がスキャン可能範囲の縁端に接触した位置（接触位置）を求める。表示制御部２１１２は、計測制御部２１１１により求められた接触位置に対応した表示部２４１の表示位置に回転後のスキャンパターン像ＳＰ２´´を表示させる。同様に、表示制御部２１１２は、計測制御部２１１１により求められた接触位置に対応した表示部２４１の表示位置に回転後のスキャンパターン像ＳＰ１´´を表示させる（図８Ｂに示す状態）。
【０１１２】
すなわち、スキャン可能範囲を越えるスキャンパターン像の移動要求が操作部を用いて行われたとき、表示制御部は、少なくともスキャン可能範囲の縁端に接触したスキャンパターン像の表示位置の移動を当該接触位置にて停止することができる。これにより、スキャン可能範囲を越えるスキャンパターンの移動要求が行われ場合でも、スキャン可能範囲内の任意の位置に交差領域を配置させ、且つ、スキャン領域の面積を小さくすることなく注目部位のスキャンを行うことができる。
【０１１３】
なお、図８Ａおよび図８Ｂでは、スキャンパターン像ＳＰ１、ＳＰ２（第１スキャン領域Ｐ１および第２スキャン領域Ｐ２）を一体的に回転移動させた場合について説明したが、この実施形態は、これに限定されるものではない。たとえば、図８Ａにおいて、スキャンパターン像ＳＰ２（第２スキャン領域Ｐ２）を固定させた状態でスキャンパターン像ＳＰ１（第１スキャン領域Ｐ１）だけ回転移動させてもよい。また、図８Ｂにおいて、スキャンパターン像ＳＰ１を固定させた状態でスキャンパターン像ＳＰ２だけ回転移動させてもよい。また、スキャンパターン像ＳＰ１、ＳＰ２を平行移動する場合に、図８Ａや図８Ｂのように、スキャン可能範囲の縁端に接触したスキャンパターン像の表示位置の移動を当該接触位置にて停止するようにしてもよい。
【０１１４】
また、スキャンパターンについては、上記の回転移動後に平行移動をすることも可能である。
【０１１５】
スキャンパターン像の移動要求が行われた場合の第３動作例について、図９Ａおよび図９Ｂを更に参照して説明する。
【０１１６】
図５に示す状態において、図９Ａに示すように、スキャンパターン像ＳＰ１、ＳＰ２に対する回転移動要求が行われたとき場合、回転後のスキャンパターン像ＳＰ１、ＳＰ２がスキャン可能範囲に対応した表示範囲Ｒ１の境界に対して平行でない状態でも、スキャンパターン像ＳＰ１、ＳＰ２の少なくとも一方を平行移動させることが可能である（回転移動も可）。たとえば、図９Ａの場合、スキャンパターン像ＳＰ１、ＳＰ２の交差領域Ｃ１を配置範囲Ｃ２内の任意の位置に配置することができる。
【０１１７】
また、図９Ｂに示すように、スキャン可能範囲（表示範囲Ｒ１）を越えるスキャンパターン像ＳＰ２の移動要求が操作部２４２を用いて行われたとき、図８Ａまたは図８Ｂと同様に、スキャンパターンを移動させることが可能である。具体的には、移動方向Ｄ５に移動量ｄ５のスキャン可能範囲（表示範囲Ｒ１）を越えるスキャンパターン像ＳＰ２の移動要求が操作部２４２を用いて行われたとき、計測制御部２１１１は、スキャンパターン像ＳＰ２がスキャン可能範囲の縁端に接触する位置を求め、この接触位置から移動方向Ｄ５の反対方向Ｄ５´に移動量ｄ５だけ移動された移動位置を求める。表示制御部２１１２は、計測制御部２１１１により求められた移動位置に対応した表示部２４１の表示位置に移動後のスキャンパターン像ＳＰ２´を表示させる。
【０１１８】
以上のように、任意の向きのスキャンパターンに対して任意の移動方向に移動することができるので、たとえば、黄斑部と視神経乳頭とを結ぶ直線などの所望の部位に沿った断面像や所望の経路を横切る断面像などの観察を簡便に行うことが可能となる。
【０１１９】
（スキャンパターンに関するその他の動作例）
ユーザは、ユーザインターフェイス２４０を用いて、上記のライブスキャンに用いるスキャンパターンのサイズや、スキャン領域内のスキャンラインの配置を変更することが可能である。
【０１２０】
操作部２４２は、ユーザによる２以上のスキャンパターン像の少なくとも一部のサイズを変更するサイズ変更操作を受け付ける。スキャンパターン像のサイズには、スキャンパターン像の所定方向の長さ、幅、面積などがある。サイズ変更操作は、たとえば、変更可能なサイズ群の中から選択されたサイズに対して新たなサイズ値を入力することにより行われたり、スキャンパターン像の境界部分を変更することにより行われたりする。また、タッチパネルが表示部２４１と操作部２４２として機能する場合、サイズ変更操作は、たとえば、表示部２４１の表示領域内に表示されたスキャンパターン像の境界がタッチ操作により指定され、当該境界がドラッグ操作により移動されることにより行われる。続いて、計測制御部２１１１は、操作部２４２に対する操作内容に基づいて、サイズ変更が指定された第１スキャン領域Ｐ１および第２スキャン領域Ｐ２の新たな表示位置を求める。なお、計測制御部２１１１は、サイズ変更後のスキャン領域のサイズに応じて、たとえば、等間隔となるように当該スキャン領域内のスキャンラインを配置するようにしてもよい。表示制御部２１１２は、計測制御部２１１１により求められた第１スキャン領域Ｐ１の位置に対応した表示位置にスキャンパターン像ＳＰ１を表示させ、計測制御部２１１１により求められた第２スキャン領域Ｐ２の位置に対応した表示位置にスキャンパターン像ＳＰ２を表示させる。サイズ変更後の位置が確定すると、計測制御部２１１１は、サイズ変更後のスキャンパターン像ＳＰ１、ＳＰ２に対応するスキャン領域Ｐ１、Ｐ２内のスキャンラインに基づいて光スキャナ４２によるスキャン位置を制御することにより、眼底カメラユニット２およびＯＣＴユニット１００にＯＣＴ計測を実行させる。
【０１２１】
すなわち、表示制御部２１１２は、操作部２４２を用いてサイズが変更された２以上のスキャンパターン像の少なくとも一部の表示サイズを当該サイズ変更操作に応じて変更することができる。これにより、注目部位に応じてスキャンパターンのサイズを変更することが可能となり、ユーザは、スキャン可能範囲内において好適なサイズのスキャンパターンに基づいて所望の注目部位を簡便に観察することができる。なお、サイズ変更後のスキャン領域がスキャン可能範囲からはみ出すようにサイズ変更要求がなされた場合、上記のいずれかのように処理してよい。具体的には、スキャン可能範囲内でのサイズ変更要求しか受け付けないようにしたり、はみ出した分を反対側に付加したりすることも可能である。
【０１２２】
また、ユーザは、ユーザインターフェイス２４０を用いて、スキャン領域内のスキャンラインの配置間隔等を変更することが可能である。
【０１２３】
操作部２４２は、ユーザによる２以上のスキャンラインの相対位置を変更するための操作を受け付ける。２以上のスキャンラインの相対位置の変更には、隣接するスキャンラインの間隔の変更、隣接するスキャンラインのスキャン位置（スキャン開始位置またはスキャン終了位置）の変更などがある。２以上のスキャンラインの相対位置の変更は、スキャン方向の変更が含まれる概念であってもよい。２以上のスキャンラインの相対位置を変更するための操作は、たとえば、所望のスキャンラインを指定し、指定されたスキャンラインに隣接するスキャンラインを固定した状態で、当該指定されたスキャンラインを移動することにより行われる。タッチパネルが表示部２４１と操作部２４２として機能する場合、２以上のスキャンラインの相対位置を変更するための操作は、所望のスキャンラインを指定するためのタッチ操作と、指定されたスキャンラインに隣接するスキャンラインを固定した状態で、当該指定されたスキャンラインを移動するためのドラッグ操作とを含む。
【０１２４】
計測制御部２１１１は、相対位置が変更された２以上のスキャンラインに基づいて光スキャナ４２によるスキャン位置を制御することにより、眼底カメラユニット２およびＯＣＴユニット１００にＯＣＴ計測を実行させる。これにより、スキャンラインの配置密度を適宜に変更することが可能となり、ユーザは、所望の注目部位に応じて詳細な観察を行うことができるようになる。
【０１２５】
（表示に関する動作例）
情報の表示に関する一例を図１０に示す。本例では、「５ラインクロス」のスキャンパターンが適用される場合について説明するが、他のスキャンパターンが適用される場合にも同様の表示処理を実行することが可能である。
【０１２６】
図１０に示す表示画面３００は、表示制御部２１１２により表示部２４１に表示される。表示画面３００には、第１動画像表示領域３０１と、第２動画像表示領域３０２と、正面画像表示領域３０３とが設けられている。
【０１２７】
正面画像表示領域３０３には、眼底Ｅｆの観察画像Ｈが表示される。観察画像Ｈは、赤外動画像である。正面画像表示領域３０３には更に、第１スキャン領域Ｐ１内の第１スキャンライン群ＳＣ１に対応したスキャンラインの像ＳＬ１と、第２スキャン領域Ｐ２内の第２スキャンライン群ＳＣ２に対応したスキャンラインの像ＳＬ２とが表示される。本例では、スキャンラインの像ＳＬ１、ＳＬ２は、観察画像Ｈ上に表示される。また、観察画像Ｈ上には、スキャン可能範囲に対応した表示範囲Ｒ１が表示される。表示範囲Ｒ１は、表示されてもよいし、表示されなくてもよい。
【０１２８】
第１動画像表示領域３０１には、スキャンラインの像ＳＬ１に対応した第１スキャン領域Ｐ１における第１スキャンライン群ＳＣ１を繰り返しスキャンすることにより得られる動画像（第１動画像）Ｇ１が表示される。第２動画像表示領域３０２には、スキャンラインの像ＳＬ２に対応した第２スキャン領域Ｐ２における第２スキャンライン群ＳＣ２を繰り返しスキャンすることにより得られる動画像（第２動画像）Ｇ２が表示される。前述したように、本例では、第１スキャンライン群ＳＣ１を構成する少なくとも１本のスキャンラインに沿う第１スキャンと、第２スキャンライン群ＳＣ２を構成する少なくとも１本のスキャンラインに沿う第２スキャンとが実行される。
【０１２９】
表示制御部２１１２は、第１スキャンにより得られるデータから画像形成部２２０が逐次に形成する断面像を所定のフレームレート（たとえば、第１スキャンの反復レートに等しい、またはその整数倍）で第１動画像表示領域３０１に表示させることにより、第１動画像Ｇ１を表示させる。同様に、表示制御部２１１２は、第２スキャンにより得られるデータから画像形成部２２０が逐次に形成する断面像を所定のフレームレート（たとえば、第２スキャンの反復レートに等しい、またはその整数倍）で第２動画像表示領域３０２に表示させることにより、第２動画像Ｇ２を表示させる。
【０１３０】
第１動画像表示領域３０１は、スキャンラインの像ＳＬ１に対応する向きに配置されている。本例では、第１動画像表示領域３０１は矩形であり、その上辺および下辺の向きとスキャンラインの像ＳＬ１の向きとが一致している。つまり、図１０において、スキャンラインの像ＳＬ１は左右方向に延びる線分（矢印）であり、第１動画像表示領域３０１の上辺および下辺は左右方向に延びている。なお、観察画像Ｈにおいて、左右方向がｘ方向に相当し、上下方向がｙ方向に相当する。また、第１動画像表示領域３０１において、上辺および下辺の向き（左右方向）がｘ方向に相当し、左辺および右辺（上下方向）がｚ方向に相当する。よって、観察画像Ｈ上に表示されるスキャンラインの像ＳＬ１の向き（ｘ方向）と、第１動画像表示領域３０１に表示される第１動画像Ｇ１の断面の向き（ｘ方向）とが一致している。
【０１３１】
同様に、第２動画像表示領域３０２は、スキャンラインの像ＳＬ２に対応する向きに配置されている。本例では、第２動画像表示領域３０２は矩形であり、その左辺および右辺の向きとスキャンラインの像ＳＬ２の向きとが一致している。つまり、図１０において、スキャンラインの像ＳＬ２は上下方向に延びる線分（矢印）であり、第２動画像表示領域３０２の左辺および右辺は上下方向に延びている。なお、上記のように、観察画像Ｈにおいて、左右方向がｘ方向に相当し、上下方向がｙ方向に相当する。また、第２動画像表示領域３０２において、左辺および右辺の向き（上下方向）がｙ方向に相当し、上辺および下辺（左右方向）がｚ方向に相当する。よって、観察画像Ｈ上に表示されるスキャンラインの像ＳＬ２の向き（ｙ方向）と、第２動画像表示領域３０２に表示される第２動画像Ｇ２の断面の向き（ｙ方向）とが一致している。
【０１３２】
また、スキャンラインの像ＳＬ１と第１動画像Ｇ１との対応を表す情報（第１対応情報）と、スキャンラインの像ＳＬ２と第２動画像Ｇ２との対応を表す情報（第２対応情報）とを表示させることができる。本例においては、第１対応情報および第２対応情報として表示色が用いられる。具体的には、表示制御部２１１２は、スキャンラインの像ＳＬ１と第１動画像Ｇ１の枠（第１動画像表示領域３０１の枠）とを第１色で表示させ、かつ、スキャンラインの像ＳＬ２と第２動画像Ｇ２の枠（第２動画像表示領域３０２の枠）とを第１色と異なる第２色で表示させる。
【０１３３】
また、スキャンラインの像ＳＬ１が配置されたスキャン位置と第２動画像Ｇ２におけるスキャン位置との対応を表す情報（第３対応情報）と、スキャンラインの像ＳＬ２が配置されたスキャン位置と第１動画像Ｇ１におけるスキャン位置との対応を表す情報（第４対応情報）とを表示させることができる。第２動画像Ｇ２においては、スキャンラインの像ＳＬ１が配置されたスキャン位置に対応する位置を示すスキャン位置指定ライン３０４が表示される。第１動画像Ｇ１においては、スキャンラインの像ＳＬ２が配置されたスキャン位置に対応する位置を示すスキャン位置指定ライン３０５が表示される。本例においては、第３対応情報および第４対応情報として表示色が用いられる。具体的には、表示制御部２１１２は、スキャンラインの像ＳＬ１と第１動画像Ｇ１におけるスキャン位置指定ライン３０４とを第１色で表示させ、かつ、スキャンラインの像ＳＬ２と第２動画像Ｇ２におけるスキャン位置指定ライン３０５とを第１色と異なる第２色で表示させる。なお、第３対応情報および第４対応情報として、ラインの表示態様（実線、波線、一点鎖線、線の太さなど）が用いられてもよい。
【０１３４】
第１動画像表示領域３０１の左側には測定光ＬＳの合焦位置を表すマーカ３０６が設けられている。測定光ＬＳの合焦位置は、合焦レンズ４３の位置に対応する。合焦レンズ４３は、ＯＣＴ合焦駆動部４３Ａによって移動される。表示制御部２１１２は、現在の合焦レンズ４３の位置（つまり、ＯＣＴ合焦駆動部４３Ａに対する制御状態）に基づいてマーカ３０６を表示させる。なお、合焦位置はｚ方向に変化し、第１動画像表示領域３０１の左辺に沿う方向（上下方向）がｚ方向に相当する。よって、マーカ３０６の位置は、左辺に沿って変化する。
【０１３５】
更に、ユーザは、マーカ３０６を移動させることができる。そのための操作は、表示部２４１がタッチパネルの場合には所望の位置をタッチするタッチ操作により行われる。また、表示部２４１がタッチパネルでない場合には、ユーザは操作部２４２を操作する。この操作は、たとえば、所望の位置をクリックする操作、または、マーカ３０６をドラッグする操作である。マーカ３０６が移動されると、主制御部２１１は、移動後のマーカ３０６の位置に基づいてＯＣＴ合焦駆動部４３Ａを制御することで、移動後のマーカ３０６の位置に対応する位置に合焦レンズ４３を移動する。
【０１３６】
なお、表示画面３００に設けられる領域は図１０に示すものに限定されない。典型的な例として、被検者や被検眼Ｅに関する情報が表示される領域や、被検眼Ｅの前眼部像が表示される領域（前眼部像表示領域）や、各種のソフトウェアキーなどが表示画面３００に設けられていてよい。
【０１３７】
前眼部像の表示およびそれに伴い実行される処理に関する例を説明する。本例に係る眼科撮影装置は、被検眼Ｅの前眼部の映像を取得するための一対のビデオカメラを備える。一対のビデオカメラは、前眼部を異なる方向から同時に撮影する。表示制御部２１１２は、第１のビデオカメラにより得られる映像の上半分の画像領域（上半領域）と、第２のビデオカメラにより得られる映像の下半分の画像領域（下半領域）とを上下に並べて前眼部像表示領域に表示させる。制御部２１０（またはデータ処理部２３０）は、上半領域および下半領域をそれぞれ解析することで特定部位（瞳孔、虹彩等）の画像（特定部位画像）を検出し、上半領域中の特定部位画像と下半領域中の特定部位画像との変位を算出し、この変位をキャンセルするように光学系（ＯＣＴ用光学系、眼底カメラ用光学系）を移動する。これにより、被検眼Ｅに対する光学系のアライメントを行うことができる。更に、一対のビデオカメラにより逐次に取得されるフレームに基づいて上記処理をリアルタイムで繰り返し実行することで、被検眼Ｅの動きに光学系を追従させるトラッキングを実行しつつ、眼底ＥｆのＯＣＴや撮影や観察を行うことが可能である。
【０１３８】
（その他の動作例）
本実施形態により実行可能な他の動作例を説明する。
【０１３９】
この実施形態において、スキャン可能範囲を越えるスキャンパターン像の移動要求が操作部２４２を用いて行われたとき、当該スキャンパターン像の表示位置を制御する場合について説明したが、表示位置以外を制御するようにしてもよい。たとえば、計測制御部２１１１は、要求された移動方向にスキャン可能範囲を移動してもよい。この場合、計測制御部２１１１は、要求された移動方向に対応した方向に所定の移動量（または、指定された移動量）だけ光スキャナ４２によるスキャン位置を移動させる。これにより、スキャン可能範囲の外部であっても、要求された移動後の位置における注目部位を観察することができる。
【０１４０】
また、たとえば、計測制御部２１１１は、要求された移動方向にスキャン可能範囲が移動されるように、ＬＣＤ３９に固視標の投影位置を変更させるようにしてもよい。この場合、計測制御部２１１１は、要求された移動方向に対応した方向に所定の移動量（または、指定された移動量）だけＬＣＤ３９の画面上における固視標の表示位置を移動させることで固視標の投影位置を変更させる。これにより、スキャン可能範囲の外部であっても、要求された移動後の位置における注目部位を観察することができる。
【０１４１】
なお、上記の例では、クロススキャンを例に説明したが、ラジアルスキャンのように２以上のスキャン領域が交差するように配置されたスキャンパターンにも適用することも可能である。
【０１４２】
［作用・効果］
この実施形態に係る眼科撮影装置のいくつかの作用および効果について説明する。
【０１４３】
実施形態の眼科撮影装置は、ＯＣＴを用いて被検眼を走査することにより断面像を取得する。更に、眼科撮影装置は、計測部（たとえば、眼底カメラユニット２およびＯＣＴユニット１００）と、撮影部（ＣＣＤイメージセンサ３５またはＣＣＤイメージセンサ３８、またはＣＣＤイメージセンサ３５またはＣＣＤイメージセンサ３８により検出される眼底反射光を生成するための光学系などを更に含んでもよい）と、表示制御部（たとえば、表示制御部２１１２）と、操作部（たとえば、操作部２４２）と、計測制御部（たとえば、計測制御部２１１１）とを含む。
【０１４４】
計測部は、ＯＣＴを実行する。撮影部は、被検眼Ｅを動画撮影する。表示制御部は、撮影部により取得された動画像と、動画像におけるスキャン位置およびスキャン方向を表す２以上のスキャンラインに対応し少なくとも２つが交差するように配置された２以上のスキャンパターン像とを表示手段（たとえば、表示部２４１）に表示させる。操作部は、２以上のスキャンパターン像の相対位置を変更するために用いられる。計測制御部は、相対位置が変更された後の２以上のスキャンパターン像に対応する２以上のスキャンラインに基づいて計測部にＯＣＴを実行させる。
【０１４５】
このような構成によれば、少なくとも２つが交差するように配置された２以上のスキャンパターン像を有するスキャンパターンを表示手段に表示させ、操作部を用いて２以上のスキャンパターン像の相対位置を変更するようにしたので、２以上のスキャンパターン像の交差領域の移動の自由度を向上させ、スキャンの自由度を向上させることが可能となる。
【０１４６】
また、操作部は、２以上のスキャンパターン像のいずれかを移動するための第１移動操作に用いられ、表示制御部は、当該スキャンパターン像の表示位置を第１移動操作に応じて変更してもよい。
【０１４７】
このような構成によれば、表示手段に表示されたスキャンパターン像の表示位置を確認しながら２以上のスキャンパターン像のいずれかを移動することにより、スキャンパターン像の交差領域を所望の位置に移動することが可能となる。
【０１４８】
また、操作部は、２以上のスキャンパターン像の少なくとも一部を一体的に移動するための第２移動操作に用いられ、表示制御部は、２以上のスキャンパターン像の少なくとも一部の表示位置を第２移動操作に応じて変更してもよい。
【０１４９】
このような構成によれば、表示手段に表示されたスキャンパターン像の表示位置を確認しながら２以上のスキャンパターン像の少なくとも一部を一体的に移動することにより、スキャンパターン像の交差領域を所望の位置に移動することが可能となる。
【０１５０】
また、第２移動操作は、２以上のスキャンパターン像のうち少なくとも２つが交差する交差領域をドラッグする操作を含んでもよい。
【０１５１】
このような構成によれば、表示手段に表示されたスキャンパターン像の表示位置を確認しながら２以上のスキャンパターン像の交差領域をドラッグすることにより、スキャンパターン像の交差領域を所望の位置に移動することができ、注目部位の観察を簡便に行うことが可能となる。
【０１５２】
また、第２移動操作は、２以上のスキャンパターン像と異なる動画像中の位置をドラッグする操作を含んでもよい。
【０１５３】
このような構成によれば、表示手段に表示されたスキャンパターン像の表示位置を確認しながら２以上のスキャンパターン像と異なる動画像中の位置をドラッグすることにより、スキャンパターン像の交差領域を所望の位置に移動することができ、注目部位の観察を簡便に行うことが可能となる。
【０１５４】
また、計測部は、所定のスキャン可能範囲内においてＯＣＴを実行し、表示制御部は、スキャン可能範囲に対応する表示範囲内において２以上のスキャンパターン像の表示位置を変更可能であってもよい。
【０１５５】
このような構成によれば、表示手段に表示されたスキャン可能範囲に対応する表示範囲内でスキャンパターン像の表示位置を変更することができるため、ＯＣＴ計測が不可能な事態を招くことなく、注目部位の観察を簡便に行うことが可能となる。
【０１５６】
また、表示制御部は、スキャン可能範囲を表す画像を動画像に重ねて表示させてもよい。
【０１５７】
このような構成によれば、表示手段に表示されたスキャン可能範囲に対応する表示範囲を確認しながらスキャンパターン像の表示位置を変更することができ、ＯＣＴ計測が可能な範囲で注目部位の観察を簡便に行うことが可能となる。
【０１５８】
また、第１移動方向に第１移動量のスキャン可能範囲を越えるスキャンパターン像の移動要求が操作部を用いて行われたとき、表示制御部は、スキャン可能範囲の縁端に接触したスキャンパターン像の表示位置を、第１移動方向の反対方向である第２移動方向に第１移動量だけ変更してもよい。
【０１５９】
このような構成によれば、スキャン可能範囲を越えるスキャンパターンの移動要求が行われた場合でも、スキャン可能範囲内の任意の位置に交差領域を配置させ、且つ、スキャン領域の面積を小さくすることなく注目部位のスキャンを行うことができる。
【０１６０】
また、スキャン可能範囲を越えるスキャンパターン像の移動要求が操作部を用いて行われたとき、表示制御部は、少なくともスキャン可能範囲の縁端に接触したスキャンパターン像の表示位置の移動を当該接触位置にて停止してもよい。
【０１６１】
このような構成によれば、スキャン可能範囲を越えるスキャンパターンの移動要求が行われ場合でも、スキャン可能範囲内の任意の位置に交差領域を配置させ、且つ、スキャン領域の面積を小さくすることなく注目部位のスキャンを行うことができる。
【０１６２】
また、スキャン可能範囲を越えるスキャンパターン像の移動要求が操作部を用いて行われたとき、計測制御部は、要求された移動方向にスキャン可能範囲を移動させてもよい。
【０１６３】
このような構成によれば、スキャン可能範囲の外部であっても、要求された移動後の位置における注目部位を観察することができる。
【０１６４】
また、被検眼に固視標を投影する固視標投影部（たとえば、ＬＣＤ３９）を備え、スキャン可能範囲を越えるスキャンパターン像の移動要求が操作部を用いて行われたとき、計測制御部は、要求された移動方向にスキャン可能範囲が移動されるように、固視標投影部に固視標の投影位置を変更させてもよい。
【０１６５】
このような構成によれば、スキャン可能範囲の外部であっても、要求された移動後の位置における注目部位を観察することができる。
【０１６６】
また、操作部は、２以上のスキャンパターン像の少なくとも一部のサイズを変更するサイズ変更操作に用いられ、表示制御部は、２以上のスキャンパターン像の少なくとも一部の表示サイズをサイズ変更操作に応じて変更してもよい。
【０１６７】
このような構成によれば、注目部位に応じてスキャンパターンのサイズを変更することが可能となり、ユーザは、スキャン可能範囲内において好適なサイズのスキャンパターンに基づいて所望の注目部位を簡便に観察することができる。
【０１６８】
また、２以上のスキャンパターン像の少なくとも一部は、２以上のスキャンラインを含み、操作部は、２以上のスキャンラインの相対位置を変更するための操作に用いられ、計測制御部は、相対位置が変更された２以上のスキャンラインに基づいて計測部にＯＣＴを実行させてもよい。
【０１６９】
このような構成によれば、スキャンラインの配置密度を適宜に変更することが可能となり、ユーザは、所望の注目部位に応じて詳細な観察を行うことができるようになる。
【０１７０】
以上に説明した構成は、この発明を好適に実施するための一例に過ぎない。よって、この発明の要旨の範囲内における任意の変形（省略、置換、付加等）を適宜に施すことが可能である。適用される構成は、たとえば目的に応じて選択される。また、適用される構成に応じ、当業者にとって自明の作用効果や、本明細書において説明された作用効果が得られる。
【符号の説明】
【０１７１】
１  眼科撮影装置
２  眼底カメラユニット
１００  ＯＣＴユニット
２００  演算制御ユニット
２１０  制御部
２１１  主制御部
２１２  記憶部
２１１１  計測制御部
２１１２  表示制御部
２２０  画像形成部
２３０  データ処理部
２４０  ユーザインターフェイス
２４１  表示部
２４２  操作部
Ｅ  被検眼
【図１】
2019171168.tif 000003
【図２】
2019171168.tif 000004
【図３】
2019171168.tif 000005
【図４】
2019171168.tif 000006
【図５】
2019171168.tif 000007
【図６Ａ】
2019171168.tif 000008
【図６Ｂ】
2019171168.tif 000009
【図６Ｃ】
2019171168.tif 000010
【図７】
2019171168.tif 000011
【図８Ａ】
2019171168.tif 000012
【図８Ｂ】
2019171168.tif 000013
【図９Ａ】
2019171168.tif 000014
【図９Ｂ】
2019171168.tif 000015
【図１０】
2019171168.tif 000016